(57)【特許請求の範囲】
【請求項１】
位置情報を取得可能な移動通信端末がネットワークを介してコンテンツ情報サーバに接続しアドレスを指定してコンテンツ情報を参照する情報参照システムに用いられ、前記ネットワーク上に配置される接続情報管理サーバであって、前記コンテンツ情報サーバがコンテンツ情報の内容に関するコンテンツ位置情報を提供しているとき、
前記移動通信端末が前記コンテンツ情報サーバに接続した際の、参照したコンテンツ情報のアドレス情報をユーザ識別情報と共に接続情報として格納する接続情報格納部、及び、前記移動通信端末からの要求に従って前記接続情報格納部に対して接続情報の登録、更新、参照、検索を行う接続情報管理部を備え、
前記接続情報管理部は、接続を受けた移動通信端末の位置情報を取得する端末位置情報取得手段と、前記接続情報中のアドレス情報によりコンテンツ情報サーバに接続して該当するコンテンツ位置情報を取得するコンテンツ位置情報取得手段と、前記移動通信端末からの接続情報の登録または更新の要求を受け付けた際に、要求元の端末から送られてくる接続情報中のアドレス情報に基づいて前記コンテンツ位置情報取得手段により該当するコンテンツ位置情報を取得し、このコンテンツ位置情報を要求元の端末からの接続情報に付加し、前記接続情報格納部に対して接続情報の登録または更新を行う接続情報登録・更新手段と、前記移動通信端末からの接続情報の参照または検索の要求を受け付けた際に、要求を受けた時点の要求元の端末位置情報を取得し、前記接続情報格納手段に格納された要求元のユーザ識別情報に合致した接続情報の全部または検索結果を選択し、選択された接続情報中のコンテンツ位置情報と取得した要求元の端末位置情報とを比較して両者の距離を計算し、各接続情報に前記距離に応じた優先度情報を付加して接続情報リストを作成し、要求元の端末に送信する接続情報送信手段とを備えることを特徴とする情報参照システムの接続情報管理サーバ。
【請求項２】
前記移動通信端末が自らの位置情報を取得する自端末位置情報取得手段を有しているとき、
前記端末位置情報取得手段は、前記移動通信端末からの要求時にその端末から要求時の位置情報を取得することを特徴とする請求項１に記載の情報参照システムの接続情報管理サーバ。
【請求項３】
請求項１に記載の情報参照システムの前記接続情報管理サーバに対して、ユーザ識別情報と参照したコンテンツ情報のアドレス情報を接続情報として送信して前記接続情報格納部への登録または更新を要求する接続情報登録・更新要求手段と、前記接続情報管理サーバに対して、前記接続情報格納部に格納されている接続情報の参照または検索を要求する接続情報参照・検索要求手段と、この接続情報参照・検索要求手段の要求により前記接続情報管理サーバから送られてくる接続情報リストを優先度情報に基づいて表示する接続情報表示手段とを備えることを特徴とする情報参照システムの移動通信端末。
【請求項４】
ネットワークを介してコンテンツ情報サーバに接続し、アドレスを指定してコンテンツ情報を参照する移動通信端末であって、前記コンテンツ情報サーバがコンテンツ情報の内容に関するコンテンツ位置情報を提供しているとき、
現在の自端末位置情報を取得する自端末位置情報取得手段と、
前記コンテンツ情報サーバから参照したコンテンツ情報に対応するコンテンツ位置情報を取得するコンテンツ位置情報取得手段と、
前記コンテンツ情報サーバに接続した際に参照したコンテンツ情報のアドレス情報を接続情報として格納する接続情報格納部と、
前記接続情報格納部に対して前記接続情報の登録、更新、参照、検索を行い、登録または更新時には前記コンテンツ位置情報取得手段で得られたコンテンツ位置情報を前記接続情報に付加して前記接続情報格納部に格納し、参照または検索時には前記接続情報格納部に格納されている接続情報の全部または検索結果それぞれのコンテンツ位置情報と前記自端末位置情報取得手段で得られる現在の位置情報とを比較して両者の距離を求め、その距離に応じて接続情報の全部または検索結果それぞれに優先度情報を付加して接続情報リストを作成する接続情報管理部と、
この接続情報管理部で作成された接続情報リストを優先度情報に基づいて表示する表示手段とを具備することを特徴とする移動通信端末。
【請求項５】
さらに、前記接続情報管理部に登録・更新・参照・検索を指示する専用の要求指示ボタンを備えることを特徴とする請求項４に記載の移動通信端末。
【請求項６】
位置情報を取得可能な移動通信端末を代理してネットワークを介してコンテンツ情報サーバに接続しアドレスを指定してコンテンツ情報を取得し、前記移動通信端末に転送する代理サーバであって、前記コンテンツ情報サーバがコンテンツ情報の内容に関するコンテンツ位置情報を提供しているとき、
前記コンテンツ情報サーバに接続した際の、参照したコンテンツ情報のアドレス履歴情報をユーザ識別情報と共に接続履歴情報として格納する接続履歴情報格納部、及び、前記接続履歴情報格納部に対して接続履歴情報の登録、更新、参照、検索を行う接続履歴情報管理部を備え、
前記接続履歴情報管理部は、代理している移動通信端末の位置情報を取得する端末位置情報取得手段と、前記接続情報中のアドレス情報によりコンテンツ情報サーバに接続して該当するコンテンツ位置情報を取得するコンテンツ位置情報取得手段と、このコンテンツ位置情報取得手段により前記接続履歴情報の登録・更新時のコンテンツ位置情報を取得して前記接続履歴情報に付加し、前記接続履歴情報格納部に対して登録または更新を行う接続履歴情報登録・更新手段と、前記移動通信端末からの接続履歴情報の参照または検索の要求を受け付けた際に、前記端末位置情報取得手段により要求を受けた時点の要求元の端末位置情報を取得し、前記接続履歴情報格納部に格納された要求元のユーザ識別情報に合致した接続履歴情報の全部または検索結果を選択し、選択された接続履歴情報中のコンテンツ位置情報と取得した要求元の端末位置情報とを比較して両者の距離を計算し、各接続履歴情報に前記距離に応じた優先度情報を付加して接続履歴情報リストを作成し、要求元の端末に送信する接続履歴情報参照・検索手段とを備えることを特徴とする代理サーバ。
【請求項７】
前記移動通信端末が自らの位置情報を取得する自端末位置情報取得手段を有しているとき、
前記端末位置情報取得手段は、前記移動通信端末からの要求時にその端末から要求時の位置情報を取得することを特徴とする請求項６に記載の代理サーバ。
【請求項８】
請求項６に記載の代理サーバに対して、前記接続履歴情報格納部に登録されている接続履歴情報の参照または検索を要求する接続履歴情報参照・検索要求手段と、この接続履歴情報参照・検索要求手段の要求により前記代理サーバから送られてくる接続履歴情報リストを優先度情報に基づいて表示する接続履歴情報表示手段とを備えることを特徴とする移動通信端末。
【発明の詳細な説明】
【０００１】
【発明の属する技術分野】
本発明は、移動通信端末がネットワークを介してコンテンツ情報サーバに接続し、アドレスを指定してコンテンツ情報を参照する情報参照システムに関する。
【０００２】
【従来の技術】
周知のように、ＰＨＳ（パーソナル・ハンディホン・システム）方式による移動電話システムにあっては、各端末の位置情報を識別する機能を有する。また、携帯電話システムにあっても、ＧＰＳ（グローバル・ポジショニング・システム）を利用することにより、各端末の位置情報を取得することが可能になってきている。
【０００３】
従来より、情報参照システムにあっては、このような移動通信端末の位置情報を利用した種々のコンテンツ情報の提供がなされている。例えば、ＰＨＳの位置取得機能を利用し、ユーザの現在位置付近に存在する店舗の情報といった、ユーザの現在位置に関連したコンテンツ一覧を自動検索、提供するサービスが複数のコンテンツプロバイダ等から提供されている。
【０００４】
しかしながら、上記した従来技術においては、ユーザが以前取得したコンテンツ情報を検索する手段がない。また、従来からのブックマークと称されるアドレス情報記録方式では、位置に関連した情報を記録する手段がない。したがって、コンテンツプロバイダから提供されるコンテンツ情報一覧や、アドレス情報一覧のリストが多い場合、特に小さな端末でそれを閲覧するときに、現在の位置に関連するコンテンツ情報を得るのに多くの操作が必要になる等の問題があった。
【０００５】
【発明が解決しようとする課題】
以上述べたように従来の情報参照システムにあっては、ユーザが以前取得したコンテンツ情報を検索する手段がない。また、従来からのブックマークと称されるアドレス情報記録方式では、位置に関連した情報を記録する手段がない。したがって、コンテンツ情報サーバから提供されるコンテンツ情報リストや、移動通信端末が持つアドレス情報リストの件数が多い場合、特に小さな端末でそれを閲覧するときには、現在の位置に関連するコンテンツ情報を得るのに多くの操作が必要になる等の問題があった。
【０００６】
そこで、本発明は上記の問題を解決するためになされたもので、以前に取得した現在の位置に関連するコンテンツ情報の検索を少ない手順で可能とする情報参照システムを案出し、このシステムで用いられる接続情報管理サーバ、移動通信端末及び代理サーバを提供することを目的とする。
【０００７】
【課題を解決するための手段】
上記の課題を解決するために、本発明は、以下のような特徴的構成を有する。
【００１０】
（１）位置情報を取得可能な移動通信端末がネットワークを介してコンテンツ情報サーバに接続しアドレスを指定してコンテンツ情報を参照する情報参照システムに用いられ、前記ネットワーク上に配置される接続情報管理サーバであって、前記コンテンツ情報サーバがコンテンツ情報の内容に関するコンテンツ位置情報を提供しているとき、前記移動通信端末が前記コンテンツ情報サーバに接続した際の、参照したコンテンツ情報のアドレス情報をユーザ識別情報と共に接続情報として格納する接続情報格納部、及び、前記移動通信端末からの要求に従って前記接続情報格納部に対して接続情報の登録、更新、参照、検索を行う接続情報管理部を備え、前記接続情報管理部は、接続を受けた移動通信端末の位置情報を取得する端末位置情報取得手段と、前記接続情報中のアドレス情報によりコンテンツ情報サーバに接続して該当するコンテンツ位置情報を取得するコンテンツ位置情報取得手段と、前記移動通信端末からの接続情報の登録または更新の要求を受け付けた際に、要求元の端末から送られてくる接続情報中のアドレス情報に基づいて前記コンテンツ位置情報取得手段により該当するコンテンツ位置情報を取得し、このコンテンツ位置情報を要求元の端末からの接続情報に付加し、前記接続情報格納部に対して接続情報の登録または更新を行う接続情報登録・更新手段と、前記移動通信端末からの接続情報の参照または検索の要求を受け付けた際に、要求を受けた時点の要求元の端末位置情報を取得し、前記接続情報格納手段に格納された要求元のユーザ識別情報に合致した接続情報の全部または検索結果を選択し、選択された接続情報中のコンテンツ位置情報と取得した要求元の端末位置情報とを比較して両者の距離を計算し、各接続情報に前記距離に応じた優先度情報を付加して接続情報リストを作成し、要求元の端末に送信する接続情報送信手段とを備えることを特徴とする。
【００１１】
（１）の構成による接続情報管理サーバでは、接続情報を登録・更新するときに、参照したコンテンツ情報の位置情報を共に記録するようにしているので、移動通信端末は、接続情報を参照・検索する際に、その位置で有効なコンテンツ情報が簡単な操作で取得することが可能となる。
【００１２】
（２）（１）の構成において、前記移動通信端末が自らの位置情報を取得する自端末位置情報取得手段を有しているとき、前記端末位置情報取得手段は、前記移動通信端末からの要求時にその端末から要求時の位置情報を取得することを特徴とする。
【００１３】
（２）の構成による接続情報管理サーバでは、移動通信端末から現在位置情報を取得するようにしているので、ネットワーク上で移動通信端末の位置情報を取得することのできないシステムであっても、上記の位置情報を利用した接続情報の提供を行うことが可能となる。
【００１４】
（３）（１）に記載の情報参照システムの前記接続情報管理サーバに対して、移動通信端末は、ユーザ識別情報と参照したコンテンツ情報のアドレス情報を接続情報として送信して前記接続情報格納部への登録または更新を要求する接続情報登録・更新要求手段と、前記接続情報管理サーバに対して、前記接続情報格納部に格納されている接続情報の参照または検索を要求する接続情報参照・検索要求手段と、この接続情報参照・検索要求手段の要求により前記接続情報管理サーバから送られてくる接続情報リストを優先度情報に基づいて表示する接続情報表示手段とを備えることを特徴とする。
【００１５】
（３）の構成による移動通信端末では、（１）の接続情報管理サーバのサービスを利用することが可能となる。
【００２０】
（４）ネットワークを介してコンテンツ情報サーバに接続し、アドレスを指定してコンテンツ情報を参照する移動通信端末であって、前記コンテンツ情報サーバがコンテンツ情報の内容に関するコンテンツ位置情報を提供しているとき、現在の自端末位置情報を取得する自端末位置情報取得手段と、前記コンテンツ情報サーバから参照したコンテンツ情報に対応するコンテンツ位置情報を取得するコンテンツ位置情報取得手段と、前記コンテンツ情報サーバに接続した際に参照したコンテンツ情報のアドレス情報を接続情報として格納する接続情報格納部と、前記接続情報格納部に対して前記接続情報の登録、更新、参照、検索を行い、登録または更新時には前記コンテンツ位置情報取得手段で得られたコンテンツ位置情報を前記接続情報に付加して前記接続情報格納部に格納し、参照または検索時には前記接続情報格納部に格納されている接続情報の全部または検索結果それぞれのコンテンツ位置情報と前記自端末位置情報取得手段で得られる現在の位置情報とを比較して両者の距離を求め、その距離に応じて接続情報の全部または検索結果それぞれに優先度情報を付加して接続情報リストを作成する接続情報管理部と、この接続情報管理部で作成された接続情報リストを優先度情報に基づいて表示する表示手段とを具備することを特徴とする。
【００２１】
（４）の構成による移動通信端末では、接続情報を登録するときに参照したコンテンツ情報の位置情報を共に記録するようにしているので、接続情報を検索する際に、その位置で有効なコンテンツ情報が簡単な操作で取得することが可能となる。また、自装置に接続情報を格納するようにしているので、ネットワークに接続しなくても接続情報を閲覧することが可能となる。
【００２２】
（５）（４）の構成において、さらに、前記接続情報管理部に登録・更新・参照・検索を指示する専用の要求指示ボタンを備えることを特徴とする。
【００２３】
（５）の構成による移動通信端末では、接続情報の登録、更新、参照、検索が少ない操作で可能となる。
【００２６】
（６）位置情報を取得可能な移動通信端末を代理してネットワークを介してコンテンツ情報サーバに接続しアドレスを指定してコンテンツ情報を取得し、前記移動通信端末に転送する代理サーバであって、前記コンテンツ情報サーバがコンテンツ情報の内容に関するコンテンツ位置情報を提供しているとき、前記コンテンツ情報サーバに接続した際の、参照したコンテンツ情報のアドレス履歴情報をユーザ識別情報と共に接続履歴情報として格納する接続履歴情報格納部、及び、前記接続履歴情報格納部に対して接続履歴情報の登録、更新、参照、検索を行う接続履歴情報管理部を備え、前記接続履歴情報管理部は、代理している移動通信端末の位置情報を取得する端末位置情報取得手段と、前記接続情報中のアドレス情報によりコンテンツ情報サーバに接続して該当するコンテンツ位置情報を取得するコンテンツ位置情報取得手段と、このコンテンツ位置情報取得手段により前記接続履歴情報の登録・更新時のコンテンツ位置情報を取得して前記接続履歴情報に付加し、前記接続履歴情報格納部に対して登録または更新を行う接続履歴情報登録・更新手段と、前記移動通信端末からの接続履歴情報の参照または検索の要求を受け付けた際に、前記端末位置情報取得手段により要求を受けた時点の要求元の端末位置情報を取得し、前記接続履歴情報格納部に格納された要求元のユーザ識別情報に合致した接続履歴情報の全部または検索結果を選択し、選択された接続履歴情報中のコンテンツ位置情報と取得した要求元の端末位置情報とを比較して両者の距離を計算し、各接続履歴情報に前記距離に応じた優先度情報を付加して接続履歴情報リストを作成し、要求元の端末に送信する接続履歴情報参照・検索手段とを備えることを特徴とする。
【００２７】
（６）の構成による代理サーバでは、接続履歴情報を登録するときに、参照したコンテンツ情報の位置情報を共に記録するようにしているので、移動通信端末は、接続履歴情報を検索する際に、その位置で有効なコンテンツ情報が簡単な操作で取得することが可能となる。
【００２８】
（７）（６）の構成において、前記移動通信端末が自らの位置情報を取得する自端末位置情報取得手段を有しているとき、前記端末位置情報取得手段は、前記移動通信端末からの要求時にその端末から要求時の位置情報を取得することを特徴とする。
【００２９】
（７）の構成による代理サーバでは、端末から現在位置情報を取得するようにしているので、端末の位置情報を取得することのできないシステムであっても、上記の位置情報を利用した接続履歴情報の提供を行うことができる。
【００３０】
（８）（６）の代理サーバに接続される移動通信端末は、前記接続履歴情報格納部に登録されている接続履歴情報の参照または検索を要求する接続履歴情報参照・検索要求手段と、この接続履歴情報参照・検索要求手段の要求により前記代理サーバから送られてくる接続履歴情報リストを優先度情報に基づいて表示する接続履歴情報表示手段とを備えることを特徴とする。
【００３１】
（８）の構成による移動通信端末では、（６）の代理サーバの接続履歴情報を利用することが可能となる。
【００３４】
【発明の実施の形態】
以下、図面を参照して本発明の実施の形態を詳細に説明する。
【００３５】
（第１の実施形態）
図１は本発明に係る情報参照システムの第１の実施形態の概略構成を示すブロック図である。図１において、移動通信端末（ここでは一例としてＰＨＳを想定する）Ｔは公衆網Ｐを介して事業者ネットワークＮに接続可能となっている。事業者ネットワークＮには、当該ネットワークＮに接続された移動通信端末Ｔの位置を検出する端末位置管理サーバＰＳが接続されている。上記事業者ネットワークＮはインターネットＩに接続されており、インターネットＩにはコンテンツ情報サーバＣＳが配置されている。すなわち、移動通信端末Ｔは、公衆網Ｐ、事業者ネットワークＮ、インターネットＩを通じてコンテンツ情報サーバＣＳに接続可能となっており、接続時にアドレスを指定することで、所望のコンテンツ情報を参照可能となっている。
【００３６】
さらに、上記事業者ネットワークＮには、接続情報管理サーバＢＳが接続される。この接続情報管理サーバＢＳは、移動通信端末Ｔからの要求に応じて、コンテンツ情報サーバＣＳに接続した際に参照したコンテンツ情報のアドレス情報を要求元のユーザＩＤと共に記録管理するものである。この接続情報管理サーバＢＳの具体的な構成を図２に示す。
【００３７】
図２に示す接続情報管理サーバＢＳは、接続情報管理部ＢＭ１と、接続情報格納部ＢＤ１を備える。
【００３８】
接続情報格納部ＢＤ１は、移動通信端末Ｔがコンテンツ情報サーバＣＳに接続した際の、参照したコンテンツ情報のアドレス情報（タイトル、ＵＲＬ等）をユーザＩＤと共に接続情報として格納するものである。
【００３９】
接続情報管理部ＢＭ１は、端末位置情報取得手段ＢＭ１１と、接続情報登録・更新手段ＢＭ１２と、接続情報参照・検索手段ＢＭ１３を備える。
【００４０】
端末位置情報取得手段ＢＭ１１は、端末位置管理サーバＰＳから要求元の端末位置情報を取得する。
【００４１】
接続情報登録・更新手段ＢＭ１２は、移動通信端末Ｔからの接続情報の登録または更新の要求を受け付けた際に、端末位置情報取得手段ＢＭ１１により要求を受けた時点の要求元の端末位置情報を取得し、この端末位置情報を要求元の端末Ｔから送られてくる接続情報に付加し、接続情報格納部ＢＤ１に対して接続情報の登録または更新を行う。この際、コンテンツ情報サーバＣＳからコンテンツ情報の内容に関する位置情報を取得可能な場合には、その位置情報を取得して接続情報に付加する。
【００４２】
接続情報参照・検索手段ＢＭ１３は、移動通信端末Ｔからの接続情報の参照または検索の要求を受け付けた際に、端末位置情報取得手段ＢＭ１１により要求を受けた時点の要求元の端末位置情報を取得し、接続情報格納部ＢＤ１に格納された要求元のユーザＩＤに合致した接続情報の全部または検索結果を選択する。ここで、選択された接続情報中の端末位置情報と取得した要求元の端末位置情報とを比較して両者の距離を計算し、各接続情報に距離に応じた優先度情報を付加して接続情報リストを作成し、要求元の端末Ｔに送信する。
【００４３】
一方、移動通信端末Ｔは、図示しないが、接続情報管理サーバＢＳに対し、接続情報登録・更新要求手段ＢＭ１２及び接続情報参照・検索要求手段ＢＭ１３に要求送信を指示する操作を、表示画面上のメニュー選択操作によって行う。尚、専用の要求指示ボタンを備えると、煩雑な操作が不要となるが、従来と同様に、既存のボタンを利用して、機能選択操作により、各要求機能を割り当てるようにしてもよい。
【００４４】
上記構成において、以下に接続情報の管理について具体的に説明する。
【００４５】
ユーザが接続情報管理サーバＢＳに接続情報を登録する手順は次の通りである。
【００４６】
ユーザが移動通信端末Ｔから事業者ネットワークＮに接続し、インターネットＩ上のコンテンツ情報サーバＣＳに接続してユーザＩＤによる認証を受け、ＵＲＬ選択操作により任意のコンテンツ情報を参照する。このとき、参照したコンテンツ情報を保存しておきたい場合、ユーザは端末Ｔのメニュー画面に表示されている接続情報登録機能を選択する。これにより、端末Ｔから接続情報管理サーバＢＳに接続情報登録リクエストが送信される。
【００４７】
接続情報登録リクエストには、認証に用いられたユーザＩＤと、登録したいコンテンツ情報のタイトルとアドレス（ＵＲＬ）が含まれる。登録リクエストにＨＴＴＰを用いた場合のＵＲＬを図３に示す。
【００４８】
接続情報管理サーバＢＳにおいて、接続情報管理部ＢＭ１は、端末Ｔからの登録リクエストを受け付けると、端末位置管理サーバＰＳからその端末Ｔの現在位置情報を取得する。そして、この現在位置情報を登録リクエストに含まれるタイトルとアドレスと共に接続情報格納部ＢＤ１に格納する。さらに、登録しようとするコンテンツ情報の位置情報が取得可能な場合は、コンテンツ情報サーバＣＳより位置情報を取得し、接続情報格納部ＢＤ１に格納する。
【００４９】
ユーザが登録された接続情報の参照を要求して端末Ｔに表示させる手順は次の通りである。
【００５０】
任意の場所で以前に同じ場所で参照したコンテンツ情報を見たい場合、ユーザは端末Ｔ１のメニュー画面に表示されている接続情報参照機能を選択する。これにより、端末Ｔ１から接続情報参照リクエストが接続情報管理サーバＢＳに送信される。接続情報参照リクエストには、ユーザＩＤが含まれる。
【００５１】
接続情報管理サーバＢＳにおいて、接続情報管理部ＢＭ１は、端末Ｔからの参照リクエストを受け付けると、端末位置管理サーバＰＳからその端末Ｔの現在位置情報を取得する。そして、接続情報格納部ＢＤ１から要求元のユーザＩＤを持つ接続情報を選択する。ここで、選択された接続情報に付加されたコンテンツ情報参照時の位置情報と現在の位置情報とを比較し、両者の距離、すなわち以前コンテンツ情報を取得した位置の中で現在位置に近い順に接続情報の優先度を決定する。そして、選択された接続情報に優先度情報を付加した接続情報リストを作成し、この接続情報リストを端末Ｔに送信する。
【００５２】
端末Ｔは、接続情報リストを受信すると、優先度に応じてリストの表示順序を変更し、優先度の高い接続情報を最初の方に表示する。
【００５３】
尚、接続情報の更新、検索の処理は、登録、参照の処理と同様の手順で行うことができるので、ここではその説明を省略する。
【００５４】
以上の処理により、端末Ｔでは接続情報を取得する位置によって接続情報リストが自動的に並び替えられ、以前に参照したコンテンツ情報の接続情報を、過去の接続位置から近いものから順に表示できるようになり、その取得手順を軽減することが可能となる。
【００５５】
（第２の実施形態）
図４は本発明に係る情報参照システムの第２の実施形態の概略構成を示すブロック図である。図４において、図１の構成と異なる点は、接続情報管理サーバＢＳを事業者ネットワークＮ上ではなく、インターネットＩ上に配置し、コンテンツプロバイダがコンテンツ情報サーバＣＳと共に管理するようにした点にある。
尚、この配置自体には、本発明とは直接関係がなく、図１と同じように、接続情報管理サーバＢＳを事業者ネットワークＮ上に配置してもよいものである。尚、図４において、図１と同一部分には同一符号を付して示す。
【００５６】
ここで、移動通信端末Ｔは、事業者ネットワークＮを介してインターネットＩに接続するものとし、また事業者ネットワークＮ上の端末位置管理サーバＰＳから自己の位置情報を取得する手段を持つものとする。接続情報管理サーバＢＳへの接続情報の登録、更新、参照、検索の要求方法は、第１の実施形態の場合と同様である。コンテンツ情報サーバＣＳに格納されているコンテンツ情報には、コンテンツを特定する情報（例えばタイトルとショップコード等）とこのコンテンツの情報が存在する地図上の位置情報が含まれるものとする。
【００５７】
図５は、図４に示した接続情報管理サーバＢＳの具体的な構成を示すもので、この接続情報管理サーバＢＳは、接続情報管理部ＢＭ２と接続情報格納部ＢＤ２を備える。
【００５８】
接続情報格納部ＢＤ２は、移動通信端末Ｔがコンテンツ情報サーバＣＳに接続した際の、参照したコンテンツ情報のアドレス情報（タイトル、ショップコード等）をユーザＩＤと共に接続情報として格納するものである。
【００５９】
接続情報管理部ＢＭ２は、端末位置情報取得手段ＢＭ２１と、接続情報登録・更新手段ＢＭ２２と、接続情報参照・検索手段ＢＭ２３を備える。
【００６０】
端末位置情報取得手段ＢＭ２１は、移動通信端末Ｔから所定の要求があったとき、その端末Ｔから現在の位置情報を取得する。
【００６１】
接続情報登録・更新手段ＢＭ１２は、移動通信端末Ｔからの接続情報の登録または更新の要求を受け付けた際に、端末位置情報取得手段ＢＭ２１により要求を受けた時点の要求元の端末位置情報を取得し、この端末位置情報を要求元の端末Ｔから送られてくる接続情報に付加し、接続情報格納部ＢＤ１に対して接続情報の登録または更新を行う。この際、コンテンツ情報サーバＣＳからコンテンツ情報の内容に関する地図上の位置情報を取得し、その位置情報（以下、コンテンツ位置情報）を接続情報に付加する。
【００６２】
接続情報参照・検索手段ＢＭ２３は、移動通信端末Ｔからの接続情報の参照または検索の要求を受け付けた際に、端末位置情報取得手段ＢＭ２１により要求を受けた時点の要求元の端末位置情報を取得し、接続情報格納部ＢＤ１に格納された要求元のユーザＩＤに合致した接続情報の全部または検索結果を選択する。ここで、選択された接続情報中のコンテンツ位置情報と取得した要求元の端末位置情報とを比較して両者の距離を計算し、各接続情報に距離に応じた優先度情報を付加して接続情報リストを作成し、要求元の端末Ｔに送信する。
【００６３】
上記構成において、以下に接続情報の管理について具体的に説明する。
【００６４】
ユーザが接続情報管理サーバＢＳに接続情報を登録する手順は次の通りである。
【００６５】
ユーザが移動通信端末Ｔから事業者ネットワークＮに接続し、インターネットＩ上のコンテンツ情報サーバＣＳに接続して、ＵＲＬ選択操作により任意のコンテンツ情報を参照する。このとき、参照したコンテンツ情報を保存しておきたい場合、ユーザは端末Ｔのメニュー画面に表示されている接続情報登録機能を選択する。これにより、端末Ｔから接続情報管理サーバＢＳに接続情報登録リクエストが送信される。
【００６６】
この際、端末Ｔでは、位置情報取得手段により現在の位置情報を取得する。接続情報登録リクエストには、ユーザＩＤと、登録したいコンテンツ情報を特定する情報（例えばショップコード）、現在の位置情報が含まれる。リクエストにＨＴＴＰを用いた場合のＵＲＬを図６に示す。
【００６７】
接続情報管理サーバＢＳにおいて、接続情報管理部ＢＭ２は、ユーザＩＤの認証により端末Ｔからの登録リクエストを受け付けると、登録リクエストに含まれるコンテンツ情報を特定する情報と端末Ｔの位置情報を接続情報格納部ＢＤ２に格納する。この時、登録しようとするコンテンツ情報の位置情報をコンテンツ情報サーバＣＳから取得し、上記情報と共に接続情報格納部ＢＤ２に格納する。
【００６８】
ユーザが登録された接続情報の参照を要求して端末Ｔに表示させる手順は次の通りである。
【００６９】
ユーザが端末Ｔから事業者ネットワークＮに接続し、インターネットＩ上の接続情報管理サーバＢＳに接続してユーザＩＤによる認証を受ける。ユーザが端末Ｔにメニュー表示されている接続情報表示機能を選択する。これにより、端末Ｔから接続情報参照リクエストが接続情報管理サーバＢＳに送信される。この際、端末Ｔでは、位置情報取得手段により、現在の位置情報を取得する。接続情報参照リクエストには、認証に用いられたユーザＩＤと現在の位置情報が含まれる。
リクエストにＨＴＴＰを用いた場合のＵＲＬを図７に示す。
【００７０】
接続情報管理サーバＢＳにおいて、接続情報管理部ＢＭ２は、端末Ｔからの参照リクエストを受け付けると、接続情報格納部ＢＤ１から要求元のユーザＩＤを持つ接続情報を選択する。ここで、選択された接続情報に付加されたコンテンツ位置情報と現在の端末位置情報を比較し、両者の距離、すなわち端末Ｔの位置とコンテンツ情報の位置の近さによって接続情報の優先度を決定する。そして、選択された接続情報に優先度情報を付加した接続情報リストを作成し、この接続情報リストを端末Ｔに送信する。
【００７１】
端末Ｔは、接続情報リストを受信すると、優先度に応じてリストの表示順序を変更し、優先度の高い接続情報を最初の方に表示する。
【００７２】
尚、接続情報の更新、検索の処理は、登録、参照の処理と同様の手順で行うことができるので、ここではその説明を省略する。
【００７３】
以上のように、本実施形態では、端末Ｔ側で自己の位置を取得し、接続情報管理サーバ側でコンテンツ情報の接続情報にコンテンツ位置情報を含めて保存することで、コンテンツプロバイダが、位置に応じたコンテンツ情報を有効に提供することが可能となる。また、端末Ｔの位置情報としては、地理上の位置だけではなく、ＩＰ（インターネット・プロトコル）アドレスなどの情報も利用することができる。ＩＰアドレスを利用することにより、仕事場と自宅など、利用する場所によって接続情報を有効に利用することが可能となる。
【００７４】
（第３の実施形態）
図８は本発明に係る情報参照システムの第３の実施形態の概略構成を示すブロック図である。図８において、図１に示したシステム構成と異なる点は、事業者ネットワークＮ上に接続情報管理サーバＢＳを配置するのではなく、この接続情報管理サーバＢＳと同等の機能を移動通信端末Ｔに持たせるようにした点にある。図８において、図１と同一部分には同一符号を付して示す。
【００７５】
上記移動通信端末Ｔの具体的な構成を図９に示す。
【００７６】
図９に示す移動通信端末Ｔは、接続情報管理部ＢＭ３と、接続情報格納部ＢＤ３と、表示部ＤＰを備える。
【００７７】
接続情報格納部ＢＤ３は、コンテンツ情報サーバＣＳに接続した際の、参照したコンテンツ情報のアドレス情報（タイトル、ＵＲＬ等）を接続情報として格納するものである。
【００７８】
接続情報管理部ＢＭ３は、端末位置情報取得手段ＢＭ３１と、接続情報登録・更新手段ＢＭ３２と、接続情報参照・検索手段ＢＭ３３を備える。
【００７９】
端末位置情報取得手段ＢＭ３１は、端末位置管理サーバＰＳから現在の位置情報を取得する。
【００８０】
接続情報登録・更新手段ＢＭ３２は、ユーザの接続情報の登録または更新の要求操作を受け付けた際に、端末位置情報取得手段ＢＭ３１により要求を受けた時点の端末位置情報を取得し、この端末位置情報を接続情報に付加し、接続情報格納部ＢＤ１に対して接続情報の登録または更新を行う。この際、コンテンツ情報サーバＣＳからコンテンツ情報の内容に関する位置情報を取得可能な場合には、その位置情報を取得して接続情報に付加する。
【００８１】
接続情報参照・検索手段ＢＭ３３は、ユーザの接続情報の参照または検索の要求操作を受け付けた際に、端末位置情報取得手段ＢＭ３１により要求を受けた時点の端末位置情報を取得し、接続情報格納部ＢＤ１に格納された接続情報の全部または検索結果を選択する。ここで、選択された接続情報中の端末位置情報と取得した現在の端末位置情報とを比較して両者の距離を計算し、各接続情報に距離に応じた優先度情報を付加して接続情報リストを作成し、要求元の端末Ｔに送信する。
【００８２】
接続情報登録・更新要求手段ＢＭ３２及び接続情報参照・検索要求手段ＢＭ３３に処理開始を指示する操作は、表示画面上のメニュー選択操作によって行う。
尚、先の実施形態で述べたように、専用の要求指示ボタンによる操作、既存のボタンによる機能選択操作であってもよい。
【００８３】
上記構成において、以下に接続情報の管理について具体的に説明する。
【００８４】
ユーザが接続情報を登録する手順は次の通りである。
【００８５】
ユーザが移動通信端末Ｔから事業者ネットワークＮに接続し、インターネットＩ上のコンテンツ情報サーバＣＳに接続してユーザＩＤによる認証を受け、ＵＲＬ選択操作により任意のコンテンツ情報を参照する。このとき、参照したコンテンツ情報を保存しておきたい場合、ユーザは端末Ｔのメニュー画面に表示されている接続情報登録機能を選択する。これにより、接続情報管理部ＢＳ３に接続情報登録リクエストが出される。
【００８６】
接続情報登録リクエストには、登録したいコンテンツ情報のタイトルとアドレス（ＵＲＬ）が含まれる。登録リクエストにＨＴＴＰを用いた場合のＵＲＬを図１０に示す。
【００８７】
接続情報管理部ＢＭ３は、登録リクエストを受け付けると、端末位置管理サーバＰＳから現在位置情報を取得する。そして、この現在位置情報を登録リクエストに含まれるタイトルとアドレスと共に接続情報格納部ＢＤ３に格納する。さらに、登録しようとするコンテンツ情報の位置情報が取得可能な場合は、コンテンツ情報サーバＣＳより位置情報を取得し、接続情報格納部ＢＤ３に格納する。
【００８８】
ユーザが登録された接続情報の参照を要求して表示部ＤＰに表示させる手順は次の通りである。
【００８９】
任意の場所で以前に同じ場所で参照したコンテンツ情報を見たい場合、ユーザはメニュー画面に表示されている接続情報参照機能を選択する。これにより、接続情報参照リクエストが接続情報管理部ＢＭ３に出される。
【００９０】
接続情報管理部ＢＭ３は、参照リクエストを受け付けると、端末位置管理サーバＰＳから現在位置情報を取得する。そして、接続情報格納部ＢＤ３に格納された各接続情報に付加されたコンテンツ情報参照時の位置情報と現在の位置情報とを比較し、両者の距離、すなわち以前コンテンツ情報を取得した位置の中で現在位置に近い順に接続情報の優先度を決定する。そして、接続情報に優先度情報を付加した接続情報リストを作成し、この接続情報リストを表示部ＤＰに送る。
【００９１】
表示部ＤＰは、接続情報リストを受け取ると、優先度に応じてリストの表示順序を変更し、優先度の高い接続情報を最初の方に表示する。
【００９２】
尚、接続情報の更新、検索の処理は、登録、参照の処理と同様の手順で行うことができるので、ここではその説明を省略する。
【００９３】
以上の処理により、移動通信端末Ｔでは、ネットワークに接続しなくても、接続情報を取得する位置によって接続情報リストが自動的に並び替えられ、以前に参照したコンテンツ情報の接続情報を、過去の接続位置から近いものから順に表示できるようになり、その取得手順を軽減することが可能となる。
【００９４】
（第４の実施形態）
図１１は本発明に係る情報参照システムの第４の実施形態の概略構成を示すブロック図である。図１１に示すシステム構成は、図８の構成と同じである。このため、図１１において、図８と同一部分には同一符号を付して示し、ここでは重複する説明を省略する。
【００９５】
ここで、移動通信端末Ｔは、事業者ネットワークＮを介してインターネットＩに接続するものとし、また事業者ネットワークＮ上の端末位置管理サーバＰＳから自己の位置情報を取得する手段を持つものとする。接続情報管理サーバＢＳへの接続情報の登録、更新、参照、検索の要求方法は、第３の実施形態の場合と同様である。コンテンツ情報サーバＣＳに格納されているコンテンツ情報には、コンテンツを特定する情報（例えばタイトルとショップコード等）とこのコンテンツの情報が存在する地図上の位置情報が含まれるものとする。
【００９６】
図１２は、図１１に示した移動通信端末Ｔの具体的な構成を示すもので、この移動通信端末Ｔは、接続情報管理部ＢＭ４と接続情報格納部ＢＤ４と表示部ＤＰを備える。
【００９７】
接続情報格納部ＢＤ４は、コンテンツ情報サーバＣＳに接続した際の、参照したコンテンツ情報のアドレス情報（タイトル、ショップコード等）を接続情報として格納するものである。
【００９８】
接続情報管理部ＢＭ４は、端末位置情報取得手段ＢＭ４１と、接続情報登録・更新手段ＢＭ４２と、接続情報参照・検索手段ＢＭ４３を備える。
【００９９】
端末位置情報取得手段ＢＭ４１は、端末位置管理サーバＰＳから必要に応じて現在の位置情報を取得する。
【０１００】
接続情報登録・更新手段ＢＭ４２は、ユーザの接続情報の登録または更新の要求操作を受け付けた際に、端末位置情報取得手段ＢＭ４１により要求を受けた時点の要求元の端末位置情報を取得し、この端末位置情報を接続情報に付加し、接続情報格納部ＢＤ４に対して接続情報の登録または更新を行う。この際、コンテンツ情報サーバＣＳからコンテンツ情報の内容に関する地図上の位置情報を取得し、その位置情報（以下、コンテンツ位置情報）を接続情報に付加する。
【０１０１】
接続情報参照・検索手段ＢＭ４３は、ユーザの接続情報の参照または検索の要求操作を受け付けた際に、端末位置情報取得手段ＢＭ４１により要求を受けた時点の端末位置情報を取得し、接続情報格納部ＢＤ４に格納された接続情報の全部または検索結果を選択する。ここで、選択された接続情報中のコンテンツ位置情報と取得した現在の端末位置情報とを比較して両者の距離を計算し、各接続情報に距離に応じた優先度情報を付加して接続情報リストを作成し、表示部ＰＹに送る。
【０１０２】
上記構成において、以下に接続情報の管理について具体的に説明する。
【０１０３】
ユーザが移動通信端末Ｔに接続情報を登録する手順は次の通りである。
【０１０４】
ユーザが移動通信端末Ｔから事業者ネットワークＮに接続し、インターネットＩ上のコンテンツ情報サーバＣＳに接続して、ＵＲＬ選択操作により任意のコンテンツ情報を参照する。このとき、参照したコンテンツ情報を保存しておきたい場合、ユーザは端末Ｔのメニュー画面に表示されている接続情報登録機能を選択する。これにより、接続情報管理部ＢＭ４に接続情報登録リクエストが送られる。
【０１０５】
この際、端末Ｔでは、端末位置情報取得手段ＢＭ４１により現在の位置情報を取得する。接続情報登録リクエストには、登録したいコンテンツ情報を特定する情報（例えばショップコード）、現在の位置情報が含まれる。リクエストにＨＴＴＰを用いた場合のＵＲＬを図１３に示す。
【０１０６】
接続情報管理部ＢＭ４は、登録リクエストを受け付けると、登録リクエストに含まれるコンテンツ情報を特定する情報と端末位置情報を接続情報格納部ＢＤ４に格納する。この時、登録しようとするコンテンツ情報の位置情報をコンテンツ情報サーバＣＳから取得し、上記情報と共に接続情報格納部ＢＤ４に格納する。
【０１０７】
ユーザが登録された接続情報の参照を要求して表示部ＤＰに表示させる手順は次の通りである。
【０１０８】
ユーザが端末Ｔにメニュー表示されている接続情報表示機能を選択する。これにより、接続情報参照リクエストが接続情報管理部ＢＭ４に送られる。この際、端末Ｔでは、端末位置情報取得手段ＢＭ４１により現在の位置情報を取得する。
接続情報参照リクエストには、現在の位置情報が含まれる。リクエストにＨＴＴＰを用いた場合のＵＲＬを図１４に示す。
【０１０９】
接続情報管理部ＢＭ４は、参照リクエストを受け付けると、接続情報格納部ＢＤ４に格納されている接続情報に付加されたコンテンツ位置情報と現在の端末位置情報を比較し、両者の距離、すなわち端末Ｔの位置とコンテンツ情報の位置の近さによって接続情報の優先度を決定する。そして、選択された接続情報に優先度情報を付加した接続情報リストを作成し、この接続情報リストを表示部ＤＰに送る。
【０１１０】
表示部ＤＰは、接続情報リストを受け取ると、優先度に応じてリストの表示順序を変更し、優先度の高い接続情報を最初の方に表示する。
【０１１１】
尚、接続情報の更新、検索の処理は、登録、参照の処理と同様の手順で行うことができるので、ここではその説明を省略する。
【０１１２】
以上のように、本実施形態では、端末Ｔが単独で自己の位置を取得し、コンテンツ情報の接続情報にコンテンツ位置情報を含めて保存することで、ネットワークに接続しなくても、以前に参照した接続情報を距離に応じて優先的に表示させることができる。また、端末Ｔの位置情報としては、地理上の位置だけではなく、ＩＰ（インターネット・プロトコル）アドレスなどの情報も利用することができる。ＩＰアドレスを利用することにより、仕事場と自宅など、利用する場所によって接続情報を有効に利用することが可能となる。
【０１１３】
（第５の実施形態）
図１５は本発明に係る情報参照システムの第５の実施形態の概略構成を示すブロック図である。図１５において、図１の構成と異なる点は、接続情報管理サーバＢＳをプロキシ（代理）サーバＰＲＳに置き換え、このプロキシサーバＰＲＳに接続情報管理サーバＢＳの機能を持たせた点にある。プロキシサーバＰＲＳは、移動通信端末Ｔのインターネットへの接続を代理して行うものである。図１５において、図１と同一部分には同一符号を付して示し、ここでは重複する説明を省略する。
【０１１４】
図１５において、移動通信端末Ｔは、プロキシサーバＰＲＳを通じてコンテンツ情報サーバＣＳに接続可能となっており、接続時にアドレスを指定することで、所望のコンテンツ情報を参照可能となっている。
【０１１５】
プロキシサーバＰＲＳは、移動通信端末Ｔがコンテンツ情報サーバＣＳに接続した際に参照したコンテンツ情報のアドレス情報を接続履歴情報としてユーザＩＤと共に自動的に記録管理する機能を有する。このプロキシサーバＰＲＳの具体的な構成を図１６に示す。
【０１１６】
図１６に示すプロキシサーバＰＲＳは、接続履歴情報管理部ＢＭ５と、接続履歴情報格納部ＢＤ５を備える。
【０１１７】
接続履歴情報格納部ＢＤ５は、移動通信端末Ｔがコンテンツ情報サーバＣＳに接続した際の、参照したコンテンツ情報のアドレス情報（タイトル、ＵＲＬ等）をユーザＩＤと共に接続履歴情報として格納するものである。
【０１１８】
接続履歴情報管理部ＢＭ５は、端末位置情報取得手段ＢＭ５１と、接続履歴情報登録・更新手段ＢＭ５２と、接続履歴情報参照・検索手段ＢＭ５３を備える。
【０１１９】
端末位置情報取得手段ＢＭ５１は、端末位置管理サーバＰＳから要求元の端末位置情報を取得する。
【０１２０】
接続履歴情報登録・更新手段ＢＭ５２は、移動通信端末Ｔがコンテンツ情報サーバＣＳに接続し、コンテンツ情報を参照した際に、端末位置情報取得手段ＢＭ１１により参照時点の端末位置情報を取得し、この端末位置情報を接続履歴情報に付加し、接続履歴情報格納部ＢＤ５に対して接続履歴情報の登録または更新を行う。この際、コンテンツ情報サーバＣＳからコンテンツ情報の内容に関する位置情報を取得可能な場合には、その位置情報を取得して接続履歴情報に付加する。
【０１２１】
接続履歴情報参照・検索手段ＢＭ５３は、移動通信端末Ｔからの接続履歴情報の参照または検索の要求を受け付けた際に、端末位置情報取得手段ＢＭ５１により要求を受けた時点の要求元の端末位置情報を取得し、接続履歴情報格納部ＢＤ５に格納された要求元のユーザＩＤに合致した接続履歴情報の全部または検索結果を選択する。ここで、選択された接続履歴情報中の端末位置情報と取得した要求元の端末位置情報とを比較して両者の距離を計算し、各接続履歴情報に距離に応じた優先度情報を付加して接続履歴情報リストを作成し、要求元の端末Ｔに送信する。
【０１２２】
一方、移動通信端末Ｔは、図示しないが、プロキシサーバＰＲＳに対し、接続履歴情報参照・検索要求手段ＢＭ５３に要求送信を指示する操作を、表示画面上のメニュー選択操作によって行う。尚、専用の要求指示ボタンを備えると、煩雑な操作が不要となるが、従来と同様に、既存のボタンを利用して、機能選択操作により、各要求機能を割り当てるようにしてもよい。
【０１２３】
上記構成において、以下に接続情報の管理について具体的に説明する。
【０１２４】
プロキシサーバＰＲＳが接続履歴情報を登録する手順は次の通りである。
【０１２５】
ユーザが移動通信端末Ｔから事業者ネットワークＮに接続し、プロキシサーバＰＲＳを通じてインターネットＩ上のコンテンツ情報サーバＣＳに接続してユーザＩＤによる認証を受け、ＵＲＬ選択操作により任意のコンテンツ情報を参照する。このとき、プロキシサーバＰＲＳの接続情報管理部ＢＭ１は、端末位置管理サーバＰＳからその端末Ｔの現在位置情報を取得する。そして、この現在位置情報を参照しているコンテンツ情報のタイトルとアドレスと共に接続履歴情報格納部ＢＤ５に格納する。さらに、登録しようとするコンテンツ情報の位置情報が取得可能な場合は、コンテンツ情報サーバＣＳより位置情報を取得し、接続履歴情報格納部ＢＤ５に格納する。
【０１２６】
ユーザが登録された接続履歴情報の参照を要求して端末Ｔに表示させる手順は次の通りである。
【０１２７】
任意の場所で以前に同じ場所で参照したコンテンツ情報を見たい場合、ユーザは端末Ｔ１のメニュー画面に表示されている接続履歴情報参照機能を選択する。
これにより、端末Ｔ１から接続履歴情報参照リクエストがプロキシサーバＰＲＳに送信される。接続履歴情報参照リクエストには、ユーザＩＤが含まれる。
【０１２８】
プロキシサーバＰＲＳにおいて、接続履歴情報管理部ＢＭ５は、端末Ｔからの参照リクエストを受け付けると、端末位置管理サーバＰＳからその端末Ｔの現在位置情報を取得する。そして、接続履歴情報格納部ＢＤ５から要求元のユーザＩＤを持つ接続履歴情報を選択する。ここで、選択された接続履歴情報に付加されたコンテンツ情報参照時の位置情報と現在の位置情報とを比較し、両者の距離、すなわち以前コンテンツ情報を取得した位置の中で現在位置に近い順に接続履歴情報の優先度を決定する。そして、選択された接続履歴情報に優先度情報を付加した接続履歴情報リストを作成し、この接続履歴情報リストを端末Ｔに送信する。
【０１２９】
端末Ｔは、接続履歴情報リストを受信すると、優先度に応じてリストの表示順序を変更し、優先度の高い接続情報を最初の方に表示する。
【０１３０】
尚、接続履歴情報の更新、検索の処理は、登録、参照の処理と同様の手順で行うことができるので、ここではその説明を省略する。
【０１３１】
以上の処理により、端末Ｔでは接続履歴情報を取得する位置によって接続履歴情報リストが自動的に並び替えられ、以前に参照したコンテンツ情報の接続履歴情報を、過去の接続位置から近いものから順に表示できるようになり、その取得手順を軽減することが可能となる。
【０１３２】
（第６の実施形態）
図１７は本発明に係る情報参照システムの第６の実施形態の概略構成を示すブロック図である。図１７において、図１５の構成と異なる点は、プロキシサーバＰＲＳを事業者ネットワークＮ上ではなく、インターネットＩ上に配置し、コンテンツプロバイダがコンテンツ情報サーバＣＳと共に管理するようにした点にある。尚、この配置自体には、本発明とは直接関係がなく、図１５と同じように、プロキシサーバＢＳを事業者ネットワークＮ上に配置してもよいものである。尚、図１７において、図１５と同一部分には同一符号を付して示す。
【０１３３】
ここで、移動通信端末Ｔは、事業者ネットワークＮを介してインターネットＩに接続するものとし、また事業者ネットワークＮ上の端末位置管理サーバＰＳから自己の位置情報を取得する手段を持つものとする。プロキシサーバＰＲＳへの接続情報の参照、検索の要求方法は、第５の実施形態の場合と同様である。コンテンツ情報サーバＣＳに格納されているコンテンツ情報には、コンテンツを特定する情報（例えばタイトルとショップコード等）とこのコンテンツの情報が存在する地図上の位置情報が含まれるものとする。
【０１３４】
図１８は、図１７に示したプロキシサーバＰＲＳの具体的な構成を示すもので、このプロキシサーバＰＲＳは、接続履歴情報管理部ＢＭ６と接続履歴情報格納部ＢＤ６を備える。
【０１３５】
接続履歴情報格納部ＢＤ６は、移動通信端末Ｔがコンテンツ情報サーバＣＳに接続した際の、参照したコンテンツ情報のアドレス情報（タイトル、ショップコード等）をユーザＩＤと共に接続履歴情報として格納するものである。
【０１３６】
接続履歴情報管理部ＢＭ６は、端末位置情報取得手段ＢＭ６１と、接続履歴情報登録・更新手段ＢＭ６２と、接続履歴情報参照・検索手段ＢＭ６３を備える。
【０１３７】
端末位置情報取得手段ＢＭ６１は、移動通信端末Ｔから所定の要求があったとき、その端末Ｔから現在の位置情報を取得する。
【０１３８】
接続履歴情報登録・更新手段ＢＭ６２は、移動通信端末Ｔからのコンテンツ情報サーバＣＳへの接続要求を受け付けた際に、端末位置情報取得手段ＢＭ６１により要求を受けた時点の要求元の端末位置情報を取得し、この端末位置情報を参照先の接続履歴情報に付加し、接続履歴情報格納部ＢＤ６に対して接続履歴情報の登録または更新を行う。この際、コンテンツ情報サーバＣＳからコンテンツ情報の内容に関する地図上の位置情報を取得し、その位置情報（以下、コンテンツ位置情報）を接続履歴情報に付加する。
【０１３９】
接続履歴情報参照・検索手段ＢＭ６３は、移動通信端末Ｔからの接続履歴情報の参照または検索の要求を受け付けた際に、端末位置情報取得手段ＢＭ６１により要求を受けた時点の要求元の端末位置情報を取得し、接続履歴情報格納部ＢＤ６に格納された要求元のユーザＩＤに合致した接続履歴情報の全部または検索結果を選択する。ここで、選択された接続履歴情報中のコンテンツ位置情報と取得した要求元の端末位置情報とを比較して両者の距離を計算し、各接続履歴情報に距離に応じた優先度情報を付加して接続履歴情報リストを作成し、要求元の端末Ｔに送信する。
【０１４０】
上記構成において、以下に接続履歴情報の管理について具体的に説明する。
【０１４１】
ユーザがプロキシサーバＰＲＳに接続情報を登録する手順は次の通りである。
【０１４２】
ユーザが移動通信端末ＴからプロキシサーバＰＲＳによりインターネットＩ上のコンテンツ情報サーバＣＳに接続して、ＵＲＬ選択操作により任意のコンテンツ情報を参照する。
【０１４３】
このとき、プロキシサーバＰＲＳの接続情報管理部ＢＭ６は、参照したコンテンツ情報を特定する情報（例えばショップコード）を取得すると共に、端末位置管理サーバＰＳからユーザＩＤに該当する現在の位置情報を取得して、ユーザＩＤ、コンテンツ情報を特定する情報、端末位置情報を接続履歴情報として接続履歴情報格納部ＢＤ６に格納する。この時、登録しようとするコンテンツ情報の位置情報をコンテンツ情報サーバＣＳから取得し、上記情報と共に接続履歴情報格納部ＢＤ２に格納する。
【０１４４】
ユーザが登録されている接続履歴情報の参照を要求して端末Ｔに表示させる手順は次の通りである。
【０１４５】
ユーザが端末ＴからインターネットＩ上のプロキシサーバＰＲＳに接続してユーザＩＤによる認証を受ける。ユーザが端末Ｔにメニュー表示されている接続履歴情報表示機能を選択する。これにより、端末Ｔから接続履歴情報参照リクエストがプロキシサーバＰＲＳに送信される。この際、端末Ｔでは、位置情報取得手段により、現在の位置情報を取得する。接続履歴情報参照リクエストには、認証に用いられたユーザＩＤと現在の位置情報が含まれる。リクエストにＨＴＴＰを用いた場合のＵＲＬを図１９に示す。
【０１４６】
プロキシサーバＰＲＳにおいて、接続履歴情報管理部ＢＭ６は、端末Ｔからの参照リクエストを受け付けると、接続履歴情報格納部ＢＤ６から要求元のユーザＩＤを持つ接続履歴情報を選択する。ここで、選択された接続履歴情報に付加されたコンテンツ位置情報と現在の端末位置情報を比較し、両者の距離、すなわち端末Ｔの位置とコンテンツ情報の位置の近さによって接続履歴情報の優先度を決定する。そして、選択された接続履歴情報に優先度情報を付加した接続履歴情報リストを作成し、この接続履歴情報リストを端末Ｔに送信する。
【０１４７】
端末Ｔは、接続履歴情報リストを受信すると、優先度に応じてリストの表示順序を変更し、優先度の高い接続履歴情報を最初の方に表示する。
【０１４８】
尚、接続履歴情報の更新、検索の処理は、登録、参照の処理と同様の手順で行うことができるので、ここではその説明を省略する。
【０１４９】
以上のように、本実施形態では、端末Ｔ側で自己の位置を取得し、プロキシサーバＰＲＳ側でコンテンツ情報の接続履歴情報にコンテンツ位置情報を含めて保存することで、コンテンツプロバイダが、位置に応じたコンテンツ情報を有効に提供することが可能となる。また、端末Ｔの位置情報としては、地理上の位置だけではなく、ＩＰ（インターネット・プロトコル）アドレスなどの情報も利用することができる。ＩＰアドレスを利用することにより、仕事場と自宅など、利用する場所によって接続情報を有効に利用することが可能となる。
【０１５０】
【発明の効果】
以上のように本発明によれば、以前に取得した現在の位置に関連するコンテンツ情報の検索を少ない手順で可能とする情報参照システムを案出し、このシステムで用いられる接続情報管理サーバ、移動通信端末及び代理サーバを提供することができる。
【図面の簡単な説明】
【図１】本発明に係る情報参照システムの第１の実施形態の概略構成を示すブロック図。
【図２】第１の実施形態における接続情報管理サーバの具体的な構成を示すブロック図。
【図３】第１の実施形態における接続情報登録リクエストのＨＴＴＰによる表記例を示す図。
【図４】本発明に係る情報参照システムの第２の実施形態の概略構成を示すブロック図。
【図５】第２の実施形態における接続情報管理サーバの具体的な構成を示すブロック図。
【図６】第２の実施形態における接続情報登録リクエストのＨＴＴＰによる表記例を示す図。
【図７】第２の実施形態における接続情報参照リクエストのＨＴＴＰによる表記例を示す図。
【図８】本発明に係る情報参照システムの第３の実施形態の概略構成を示すブロック図。
【図９】第３の実施形態における移動通信端末の具体的な構成を示すブロック図。
【図１０】第３の実施形態における接続情報登録リクエストのＨＴＴＰによる表記例を示す図。
【図１１】本発明に係る情報参照システムの第４の実施形態の概略構成を示すブロック図。
【図１２】第４の実施形態における移動通信端末の具体的な構成を示すブロック図。
【図１３】第４の実施形態における接続情報登録リクエストのＨＴＴＰによる表記例を示す図。
【図１４】第４の実施形態における接続情報参照リクエストのＨＴＴＰによる表記例を示す図。
【図１５】本発明に係る情報参照システムの第５の実施形態の概略構成を示すブロック図。
【図１６】第５の実施形態におけるプロキシサーバの具体的な構成を示すブロック図。
【図１７】本発明に係る情報参照システムの第６の実施形態の概略構成を示すブロック図。
【図１８】第６の実施形態におけるプロキシサーバの具体的な構成を示すブロック図。
【図１９】第６の実施形態における接続履歴情報参照リクエストのＨＴＴＰによる表記例を示す図。
【符号の説明】
Ｔ…移動通信端末
Ｐ…公衆網
Ｎ…事業者ネットワーク
Ｉ…インターネット
ＰＳ…端末位置管理サーバ
ＢＳ…接続情報管理サーバ
ＣＳ…コンテンツ情報サーバ
ＢＭ１〜ＢＭ４…接続情報管理部
ＢＭ５〜ＢＭ６…接続履歴情報管理部
ＢＤ１〜ＢＤ４…接続情報格納部
ＢＤ５〜ＢＤ６…接続履歴情報格納部。
【図１】
0004580514.tif 000002
【図２】
0004580514.tif 000003
【図３】
0004580514.tif 000004
【図４】
0004580514.tif 000005
【図５】
0004580514.tif 000006
【図６】
0004580514.tif 000007
【図７】
0004580514.tif 000008
【図８】
0004580514.tif 000009
【図９】
0004580514.tif 000010
【図１０】
0004580514.tif 000011
【図１１】
0004580514.tif 000012
【図１２】
0004580514.tif 000013
【図１３】
0004580514.tif 000014
【図１４】
0004580514.tif 000015
【図１５】
0004580514.tif 000016
【図１６】
0004580514.tif 000017
【図１７】
0004580514.tif 000018
【図１８】
0004580514.tif 000019
【図１９】
0004580514.tif 000020